(57)【特許請求の範囲】
【請求項１】
エレベータの動作を制御する運転制御部と、かご側表示案内部及び乗り場側表示案内部の照明と、インバータ制御されるエレベータの巻上げモータとに対し、各電力供給ラインに設置された電力量測定器によりそれぞれで消費された電力量を測定して積算するエレベータの消費電力量積算装置であって、
消費電力量積算装置は、運転制御部に接続され、
かご側表示案内部及び乗り場側表示案内部の照明についての標準消費電力と、運転制御部を種々の条件により所定時間動作させて求めた運転制御部の標準消費電力とを設定する積算条件設定手段と、
かご側表示案内部及び乗り場側表示案内部がそれぞれ点灯状態であるか消灯状態であるかの動作情報、及び運転制御部の動作情報を運転制御部から受信し、かご側表示案内部及び乗り場側表示案内部の照明についての標準消費電力にそれらの動作時間を乗じて消費電力量として積算し、運転制御部の標準消費電力にその動作時間を乗じて消費電力量として積算し、インバータ制御回路に設けられている電流検出器から供給された巻き上げモータの実使用電力を消費電力量として積算する消費電力量積算手段と、
を有することを特徴とするエレベータの消費電力量積算装置。
【請求項２】
請求項１に記載のエレベータ電力量積算装置において、
前記積算条件設定手段は、積算条件を外部から通信により積算条件設定手段で設定することを特徴とするエレベータ電力量積算装置。
【発明の詳細な説明】
【０００１】
【発明の属する技術分野】
本発明は、エレベータの消費電力量を積算する装置に関する。
【０００２】
【従来の技術】
従来より、所定時間毎のエレベータの消費電力量を測定し、その消費電力量の推移を見ることによって、エレベータの動作状況を把握したり、エレベータの管理に利用していた。例えば、消費電力量が大きければ、エレベータが頻繁に利用されていることを意味し、エレベータの混雑時に対応するシステムに切り換える等設定変更をすることができる。
【０００３】
しかしながら、従来のエレベータシステムには、電力量積算装置が内蔵されていなかったため、エレベータシステムのみではエレベータの消費電力量を測定することができなかった。
【０００４】
ここで、従来の電力量測定の様子を図を参照し説明する。図６は、従来の電力量測定を示す図である。図６に示すように、エレベータシステム１は、エレベータかご１０、このエレベータかご１０と釣り合いおもり１４との昇降駆動を行う巻上げモータ１２、前記エレベータかご１０の位置表示を行うかご側表示案内部１６ａ、乗り場側表示案内部１６ｂからなる表示案内部１６及び前記巻上げモータ１２の運転を制御する運転制御部１８で構成されている。運転制御部１８は、巻上げモータ１２へ所望の駆動電力を供給し、前記エレベータかご１０の位置表示を行うかご側表示案内部１６ａ、乗り場側表示案内部１６ｂへ、電力を供給する。
【０００５】
このようなエレベータシステム１において、従来の消費電力量の測定は、運転制御部１８から巻上げモータ１２への駆動電力供給ライン、かご側表示案内部１６ａ、乗り場側表示案内部１６ｂの照明電力供給ラインに電力量測定器４４をそれぞれ設置して行う。運転制御部１８の消費電力量の測定は、各電力消費部に設置された電力量測定器４４で測定された電力量から求める。
【０００６】
【発明が解決しようとする課題】
従って、上記従来の消費電力量測定では、エレベータとは別に電力量測定計測器等を設置しなければならず、また、電力量測定計測器を巻上げモータ、照明電源等の消費電力部それぞれに設置しなければならないため、多大の作業時間を要していた。
【０００７】
また、電力量測定計測器等の設置作業中は安全面を重視し、エレベータを停止しており、エレベータ停止により利用者に不便をきたしていた。
【０００８】
また、電力量測定計測器設置等が面倒なため、エレベータの作動状況把握を多面的に行うことができなかった。
【０００９】
そこで、本発明は上記課題に鑑みなされたもので、簡易に、すなわちエレベータの運転制御部の動作情報に基づき、エレベータの電力消費量を積算することにある。
【００１０】
【課題を解決するための手段】
本発明のエレベータの電力量積算装置は、エレベータの動作を制御する運転制御部と、かご側表示案内部及び乗り場側表示案内部の照明と、インバータ制御されるエレベータの巻上げモータとに対し、各電力供給ラインに設置された電力量測定器によりそれぞれで消費された電力量を測定して積算するエレベータの消費電力量積算装置であって、
消費電力量積算装置は、運転制御部に接続され、
かご側表示案内部及び乗り場側表示案内部の照明についての標準消費電力と、運転制御部を種々の条件により所定時間動作させて求めた運転制御部の標準消費電力とを設定する積算条件設定手段と、
かご側表示案内部及び乗り場側表示案内部がそれぞれ点灯状態であるか消灯状態であるかの動作情報、及び運転制御部の動作情報を運転制御部から受信し、かご側表示案内部及び乗り場側表示案内部の照明についての標準消費電力にそれらの動作時間を乗じて消費電力量として積算し、運転制御部の標準消費電力にその動作時間を乗じて消費電力量として積算し、インバータ制御回路に設けられている電流検出器から供給された巻き上げモータの実使用電力を消費電力量として積算する消費電力量積算手段と、を有することを特徴とする。
【００１４】
更に、本発明のエレベータの電力量積算装置の積算条件設定手段は、積算条件を外部から通信により積算条件設定手段で設定することを特徴とする。
【００１５】
【発明の実施の形態】
以下、本発明の好適な実施の形態（以下、実施形態という）について、図面を参照し説明する。
【００１６】
実施形態１
図１は、実施形態１のエレベータの電力量積算装置を設置した場合のエレベータシステム全体を示す。エレベータシステム１は、エレベータかご１０、このエレベータかご１０と釣り合いおもり１４との昇降駆動を行う巻上げモータ１２、前記エレベータかご１０の位置表示を行うかご側表示案内部１６ａ、乗り場側表示案内部１６ｂからなる表示案内部１６及び前記巻上げモータ１２の運転を制御する運転制御部１８で構成されている。運転制御部１８の駆動電力は、コンバータ３２及びインバータ３４を介して電力変換され、巻上げモータ１２へ所望の駆動電力が供給されている。巻上げモータ１２の駆動電力は電流検出器３６によって検出されている。
【００１７】
前記運転制御部１８には、図１に示されるように電力量積算装置２２が接続されており、各電力消費部、実施形態における巻上げモータ１２、各表示案内部１６ａ，１６ｂの消費電力が運転制御部１８を介して、電力量積算装置に集計される。前述した電流検出器３６は、巻上げモータ１２の実使用電力を電力量積算装置２２へ供給するが、各表示案内部１６ａ，１６ｂはそれらが点灯状態にあるか消灯状態かの情報を動作情報として電力量積算装置２２へ供給する。
【００１８】
電力量積算装置２２には、外部の操作装置２８、例えば、パソコン等からなる入力装置により所望の積算条件が供給され、この積算条件は、消費電力を積算する積算時間、例えば週内の必要曜日、日内の必要時間等を入力することができる。また、この積算条件は、前述した表示案内部１６ａ，１６ｂの標準消費電力を含み、電力量積算装置２２は、各案内表示部１６ａ，１６ｂの点灯時間と標準消費電力とを積算して各電力消費部における消費電力を求めることができる。
【００１９】
図２は、電力量積算装置２２の構成を示す図である。電力量積算装置２２は、ＣＰＵ２２ａと、ＲＯＭ（Read Only Memory)２２ｂと、ＲＡＭ(Random AccessMemory)２２ｃと、通信部２２ｄと、Ｉ／Ｏ２２ｅと、時計部２２ｆとから構成され、各部はバスで互いに接続されている。ＲＡＭ２２ｃには、各案内表示部１６ａ，１６ｂの動作時間、運転制御部１８の動作時間等、電力量積算のための動作情報及び消費電力を積算するための積算時間、各表示案内部１６ａ，１６ｂの標準消費電力、運転制御部１８の消費電力測定情報等の積算条件が記憶される。Ｉ／Ｏ２２ｅには、電流検出器３６で測定された巻上げモータ１２の電流の測定値が供給される。ＲＯＭ２２ｂには、電力量を積算するためのプログラムが記憶されている。ＣＰＵ２２ａは、ＲＯＭ２２ｂの電力量積算のためのプログラムを読み込み、ＲＡＭ２２ｃに格納されている動作情報及びＩ／Ｏ２２ｅに供給される巻上げモータ１２の電流値に基づき、消費電力量を積算する。通信部２２ｄは、実施形態２の外部通信装置４０に接続されており、これについては後述する。
【００２０】
次に、図１及び図２を参照し各電力消費部の電力量の積算について説明する。
【００２１】
巻上げモータの消費電力量積算について説明する。乗り場側表示案内部１６ｂが押下され、乗り場側表示案内部１６ｂからの命令が運転制御部１８に伝達されると、運転制御部１８はその指令に基づき電流を巻上げモータ１２へ供給する。コンバータ３２及びインバータ３４は、運転制御部１８からの電流を電力変換し、巻上げモータ１２へ所望の駆動電力を供給する。インバータ３４には、駆動電力を制御するために電流検出器３６が設けられており、電流検出器３６は、巻上げモータ１２に供給された電流を常時測定する。電流検出器３６で測定された測定値は、運転制御部１８に記憶される。運転制御部１８は、巻上げモータ１２の電力量の積算のため電流検出器３６で測定した測定値を電力量積算装置２２のＩ／Ｏ２２ｅへ供給する。電力量積算装置２２は、この測定値を消費電力測定情報として巻上げモータ１２の消費電力量を積算する。
【００２２】
次に、表示案内部の消費電力量積算について説明する。表示案内部１６は、上述したようにかご側表示案内部１６ａ、乗り場側表示案内部１６ｂからなり、「次、○○階に停止します。」等の音声での案内を含む。ここで、各表示案内部１６ａ，１６ｂの消費電力量積算については、エレベータかご１０に設置されるかご側表示案内部１６ａを例にとり説明する。かご側表示案内部１６ａについては、標準消費電力として単位時間当たりの消費電力量（ワット数）及び個数等がわかっているため、これらの値を電力量積算のための積算条件として、電力量積算装置２２のＲＡＭ２２ｃに設定する。一方、運転制御部１８は、エレベータかご１０の駆動により、照明が点灯した時間等、かご側表示案内部１６ａの動作情報を記憶する。運転制御部１８は、かご側表示案内部１６ａの動作情報（点灯時間）を電力量積算装置２２のＲＡＭ２２ｃに供給する。電力量積算装置２２は、積算条件として設定されたかご側表示案内部１６ａのワット数等の標準消費電力情報と、運転制御部１８で検出された動作情報、ここではかご側表示案内部１６ａの点灯時間を乗算して、かご側表示案内部１６ａの消費電力量を積算する。なお、乗り場側表示案内部１６ｂについては、床階数を積算条件として設定しておいてもよい。
【００２３】
次に運転制御部の消費電力量積算について説明する。運転制御部１８については、基本的な消費電力量を積算条件として設定する。ここで設定される運転制御部１８の基本的な消費電力量は、運転制御部１８が所定時間動作した場合の種々の条件より求められる標準消費電力を設定するものとする。また、運転制御部１８は、運転制御部１８の動作時間を動作情報として、運転制御部１８から電力量積算装置２２内のＲＡＭ２２ｃに供給する。電力量積算装置２２は、積算条件として設定された基本的な消費電力量と運転制御部の動作時間を乗算して、運転制御部１８の消費電力量を積算する。
【００２４】
なお、積算条件は、標準消費電力の他、測定開始日時、測定終了日時、測定周期として、分、日、週、月毎等の測定目的に応じた設定が可能である。
【００２５】
測定処理は、測定開始日時、測定終了日時等の設定がある場合は、その期間測定を行い、電力量積算装置２２内のＲＡＭ２２ｃが測定結果を記憶する。測定開始日時、測定終了日時等の設定がない場合は、電力量積算装置２２のＲＡＭ２２ｃの記憶容量内で測定結果を記憶・蓄積する。記憶容量が容量オーバーした場合は、オーバーした時点でデータを更新していく構成とすることとしてもよい。
【００２６】
また、測定結果は、測定周期、総消費電力量とともに、電力量積算装置２２のＲＡＭ２２ｃが記憶する。また、巻上げモータ１２、表示案内部１６、運転制御部１８等の各電力消費部毎に記憶することもできる。測定結果は、操作装置２８又は任意の出力装置で出力可能であり、所定の時間のみ、一部の電力消費部毎の測定結果の出力も可能である。
【００２７】
図３は、実施形態１の電力量積算装置の電力量測定処理を示すフローチャートである。まず、パソコンなどの操作装置２８により、積算条件を設定する（Ｓ１０）。積算条件として表示案内部１６の標準消費電力、運転制御部１８の基本的な消費電力量等を設定する。
【００２８】
ここで、表示案内部１６については、エレベータかご１０に設置される照明を例にとって説明する。エレベータかご１０に使用される照明のワット数及び照明の個数等を積算条件として設定する。必要に応じて、測定開始日時、測定終了日時、測定周期として分、日、週、月毎等の設定をする（Ｓ１２）。測定開始日時の設定がある場合は、測定開始日時が到来した場合（Ｓ１４）、電力量の積算を開始する（Ｓ１６）。
【００２９】
次に巻上げモータ１２の消費電力量は、電流検出器３６で測定された測定値に基づいて電力量を積算する（Ｓ１８）。照明については、運転制御部１８の動作情報から照明の動作時間をカウントする（Ｓ２０）。運転制御部については、運転制御部１８の動作情報から動作時間をカウントしておく（Ｓ２２）。Ｓ１８からＳ２４の処理は、測定終了日時の設定がある場合は、測定終了日時が到来するまで行う（Ｓ２４）。測定終了日時が到来したら、照明の標準消費電力、運転制御部の消費電力測定情報及び運転制御部１８から電力量積算装置２２のＲＡＭ２２ｃに供給された動作時間を乗算し、消費電力量を積算する（Ｓ２６）。電力量の積算が終了すると、電力量積算装置２２のＲＡＭ２２ｃは、巻上げモータ、照明、運転制御部の消費電力量、総消費電力量を測定期間、測定周期とともに、記憶する（Ｓ２８）。操作装置２８の指示により、測定結果を出力する（Ｓ３０）。Ｓ２８，Ｓ３０のステップについては、任意としてもよい。
【００３０】
実施形態２
図４は、実施形態２のエレベータの電力量積算装置を設置した場合のエレベータシステム全体を示している。図１と同一の部材には、同一の符号を付し説明を省略する。実施形態２のエレベータの電力量積算装置２２には、遠隔地から積算条件の設定及び測定結果を出力可能な操作装置２８が、外部通信装置４０及び遠隔通信基地４２を介して接続されている。操作装置２８は、実施形態１で説明したように、電力消費部の標準消費電力、運転制御部の消費電力測定情報、消費電力の積算時間等種々の設定を行う。
【００３１】
遠隔の操作装置２８では、積算条件を設定し、積算条件を遠隔通信基地４２を介して外部通信装置４０に送信する。外部通信装置４０は、電力量積算装置２２の通信部２２ｄ（図２参照）に接続されており、通信部２２ｄは操作装置２８で設定された積算条件をバスを介して、図２のＲＡＭ２２ｃに供給する。
【００３２】
電力積算装置２２は、遠隔の操作装置２８で設定された電力消費部の標準消費電力、運転制御部の消費電力測定情報及び運転制御部１８から供給される動作情報とに基づき消費電力量を積算する。各電力消費部の消費電力量の積算については、実施形態１と同様に処理される。従って、ここでの詳細な説明は省略する。
【００３３】
また、測定終了後は、操作装置２８からの測定結果出力の指示を、遠隔通信基地４２を介して外部通信装置４０に送信し、操作装置２８に出力することもできる。
【００３４】
図５は、実施形態２の電力量積算装置２２の電力量測定処理を示すフローチャートである。まず、操作装置２８により、積算条件を設定する（Ｓ４０）。表示案内部１６の標準消費電力、運転制御部１８の消費電力測定情報等を設定する。必要に応じて、測定開始日時、測定終了日時、測定周期として分、日、週、月毎等の設定をする（Ｓ４２）。これらの積算条件は、遠隔通信基地４２を介して外部通信装置４０に送信し、電力量積算装置２２内の通信部２２ｄを介してＲＡＭ２２ｃに設定される。そして、実施形態１同様に電力量の積算が行われる（Ｓ４４からＳ５８）。各電力消費部の電力量積算の処理ステップＳ４４からＳ５８のステップについては、実施形態１のＳ１４からＳ２８（図３参照）と同様の処理が行われるため、ここでの説明は省略する。測定が終了したら、操作装置２８の指示により、測定結果を遠隔の操作装置２８に出力する（Ｓ６０）。Ｓ６０のステップについては、任意としてもよい。
【図面の簡単な説明】
【図１】  実施形態１のエレベータの電力量積算装置を設置した場合のエレベータシステム全体を示す図である。
【図２】  電力量積算装置の構成を示した図である。
【図３】  実施形態１の電力量積算装置の電力量測定処理を示すフローチャートである。
【図４】  実施形態２のエレベータの電力量積算装置を設置した場合のエレベータシステム全体を示す図である。
【図５】  実施形態２の電力量積算装置の電力量測定処理を示すフローチャートである。
【図６】  従来の電力量測定の様子を示す図である。
【符号の説明】
１  エレベータシステム、１０  エレベータかご、１２  巻上げモータ、１４釣り合いおもり、１６  表示案内部、１６ａ  かご側表示案内部、１６ｂ  乗場側表示案内部、１８  エレベータの運転制御部、２２  電力量積算装置、２８操作装置、３２  コンバータ、３４  インバータ、３６  電流検出器、４０  外部通信装置、４２  遠隔通信基地。
【図１】
0004146595.tif 000002
【図２】
0004146595.tif 000003
【図３】
0004146595.tif 000004
【図４】
0004146595.tif 000005
【図５】
0004146595.tif 000006
【図６】
0004146595.tif 000007